(57)【特許請求の範囲】
【請求項１】
ＨＦ電磁界を受信するためのＨＦアンテナ（４）と、ＨＦインターフェース（６）と、ＵＨＦ電磁界を受信するためのＵＨＦアンテナ（１４）と、ＵＨＦインターフェース（１６）と、不揮発性メモリ手段（２６）と、装置リセット手段と、発電装置（２２）と、パワー管理ユニット（２４）とを備える二重周波数ＲＦ識別装置（２）であって、前記ＨＦインターフェースは、ＨＦプロトコルを遂行するために配列され、且つ前記ＵＨＦインターフェースは、ＵＨＦプロトコルを遂行するために配列される、二重周波数ＲＦ識別装置（２）において、
前記不揮発性メモリ手段は、少なくとも第１不揮発性メモリ（２８）及び第２不揮発性メモリ（３０）によって形成され、前記二重周波数ＲＦ識別装置は、前記第１不揮発性メモリが、パワー供給され、且つ前記第２不揮発性メモリを起動することなく、活性状態にあるように配列され、前記第１不揮発性メモリは、読み出しモードにおいてパワーを消費し、且つ前記第２不揮発性メモリは、読み出しモードにおいてパワーを消費し、前記第２不揮発性メモリの読み出しモードにおける消費パワーは前記第１不揮発性メモリの読み出しモードにおける消費パワーよりも実質的に高く、
前記第１不揮発性メモリは、この二重周波数ＲＦ識別装置が、少なくとも前記ＵＨＦプロトコルのＵＨＦ通信モードを遂行することを可能にする装置構成に対して必要とされる全てのデータを備え、このＵＨＦ通信モードは、前記第１不揮発性メモリに対するアクセスを有するが、しかし前記第２不揮発性メモリに対するアクセスを有さず、前記第１不揮発性メモリは、前記ＵＨＦ通信モードの構成に対して必要とされる全ての属性を更に備え、
前記パワー管理ユニットは、
・前記発電装置によって提供され、且つ前記二重周波数ＲＦ識別装置によって遂行されるべき前記ＵＨＦ通信モードに対して要求される、第１パワーと、
・前記発電装置によって提供され、且つ前記第１パワーよりも実質的に高い、第２パワーであって、この第２パワーは、少なくとも前記二重周波数ＲＦ識別装置によって遂行されるべき前記第２不揮発性メモリに対するアクセスに関して、前記ＨＦプロトコルのＨＦ通信モードに対して要求されるものである、第２パワーと
を検出するために配列され、
前記二重周波数ＲＦ識別装置は、前記ＵＨＦ通信モードの前記構成及び、その構成完了後の、このＵＨＦ通信モードの実行を可能にするために更に配列され、このことが当てはまるのは、前記発電装置によって提供されるパワーが、前記第１パワーに等しいか、又はこれよりも優勢な場合であり、且つ、
前記二重周波数ＲＦ識別装置は、前記第２不揮発性メモリと一緒にした、前記ＨＦインターフェースの完全な起動を可能にするために配列され、このことが当てはまるのは、前記発電装置によって提供されるパワーが、前記第２パワーに等しいか、又はこれよりも優勢な場合だけであることを特徴とする、二重周波数ＲＦ識別装置。
【請求項２】
請求項１に記載の二重周波数ＲＦ識別装置であって、
前記二重周波数ＲＦ識別装置は、前記装置リセット手段が起動し、且つ、その後、前記装置構成が実行されることを可能にするために配列され、このことが当てはまるのは、前記発電装置によって提供される前記パワーが、前記第１パワーに等しいか、又はこれよりも優勢な場合であり、前記二重周波数ＲＦ識別装置は、前記装置リセット手段の起動が、前記ＵＨＦプロトコルの前記ＵＨＦ通信モードの前記構成よりも前に、起こるように配列されることを特徴とする、二重周波数ＲＦ識別装置。
【請求項３】
請求項１又は２に記載の二重周波数ＲＦ識別装置であって、
前記ＵＨＦプロトコルの前記ＵＨＦ通信モードは、制限されたＵＨＦ通信モードであり、
前記ＵＨＦインターフェースは、前記第２不揮発性メモリに対する付加的なアクセスに関して、前記ＵＨＦプロトコルの拡張されたＵＨＦ通信モードを更に遂行し、このことが当てはまるのは、前記発電装置によって提供される前記パワーが、前記第１パワーよりも高い第３パワーに等しいか、又はこれよりも優勢な場合であり、
前記パワー管理ユニットは、この第３パワーを検出するために、且つ前記第２不揮発性メモリの起動を可能にするために配列され、このことが当てはまるのは、前記発電装置によって提供される前記パワーが、前記第３パワーに等しいか、又はこれよりも優勢な場合だけであり、且つ、
前記拡張されたＵＨＦ通信モードの構成のための前記第２不揮発性メモリに対する属性は、この第２不揮発性メモリに格納されることを特徴とする、二重周波数ＲＦ識別装置。
【請求項４】
請求項３に記載の二重周波数ＲＦ識別装置であって、
この二重周波数ＲＦ識別装置は、前記拡張されたＵＨＦ通信モードの前記構成を少なくとも部分的に実行するために配列され、このことが当てはまるのは、前記第２不揮発性メモリが活性な状態にある場合であり、且つもしこの第２不揮発性メモリに関するアクセスコマンドが、前記ＵＨＦインターフェースを通して受信されるならば、という条件を満たす場合だけであることを特徴とする、二重周波数ＲＦ識別装置。
【請求項５】
請求項３に記載の二重周波数ＲＦ識別装置であって、
この二重周波数ＲＦ識別装置は、この第２不揮発性メモリに関するアクセスコマンドが前記ＵＨＦインターフェースを通して受信される場合にのみ、前記第２不揮発性メモリが起動するように配列されることを特徴とする、二重周波数ＲＦ識別装置。
【請求項６】
請求項３に記載の二重周波数ＲＦ識別装置であって、
前記第２パワー及び第３パワーは同じ値を有し、且つ、
前記パワー管理ユニットによる、これら第２パワー及び第３パワーの検出は、同じイベントに対応することを特徴とする、二重周波数ＲＦ識別装置。
【請求項７】
請求項１〜６のいずれか１項に記載の二重周波数ＲＦ識別装置であって、
この二重周波数ＲＦ識別装置はＨＦ電磁界検出器を更に備え、且つ、
この二重周波数ＲＦ識別装置は、もしＨＦ電磁界が前記ＨＦ電磁界検出器によって検出されるならば、という条件を満たす場合にのみ、前記ＨＦインターフェースの起動を可能にするために、更に配列されることを特徴とする、二重周波数ＲＦ識別装置。
【請求項８】
請求項１〜７のいずれか１項に記載の二重周波数ＲＦ識別装置であって、
この二重周波数ＲＦ識別装置は、前記ＨＦプロトコルの構成を可能にするために配列され、このことが当てはまるのは、前記ＨＦインターフェースが活性状態にある場合だけであり、且つもし前記ＨＦプロトコルによる第１コマンドが受信されるならば、という条件を満たす場合であり、且つ、
この通信モードの構成に対するＨＦプロトコル属性は、前記第２不揮発性メモリに格納されることを特徴とする、二重周波数ＲＦ識別装置。
【請求項９】
請求項１〜８のいずれか１項に記載の二重周波数ＲＦ識別装置であって、
この二重周波数ＲＦ識別装置は受動タイプであり、且つ、
前記発電装置は、受信されたＵＨＦ電磁界のための第１整流手段と、受信されたＨＦ電磁界のための第２整流手段とを備え、前記第１整流手段は、供給電圧を前記二重周波数ＲＦ識別装置に提供し、このことが当てはまるのは、少なくとも、前記第１整流手段によって発生するパワーが、前記第２整流手段によって発生するパワーよりも高い場合であることを特徴とする、二重周波数ＲＦ識別装置。
【請求項１０】
請求項９に記載の二重周波数ＲＦ識別装置の装置構成方法であって、
前記装置リセット手段が起動するが、このことが当てはまるのは、前記二重周波数ＲＦ識別装置のパワーダウン状態の後、前記第１パワーが前記パワー管理ユニットによって検出される場合であり、且つ、前記装置リセット手段のリセット後、もし前記発電装置によって提供されるパワーが、この第１パワーに等しいままか、又はこれよりも優勢な状態に留まるならば、という条件を満たす場合、前記装置構成は自動的に実行されることを特徴とする、装置構成方法。
【請求項１１】
請求項１０に記載の二重周波数ＲＦ識別装置の装置構成方法であって、
前記ＵＨＦプロトコルの前記ＵＨＦ通信モードは、もし前記発電装置によって提供されるパワーが、前記第１パワーに等しいままか、又はこれよりも優勢な状態に留まるならば、という条件を満たす場合、前記装置構成の完了後に、自動的且つ直接的に実行されることを特徴とする、装置構成方法。
【発明の詳細な説明】
【技術分野】
【０００１】
本発明は、特に受動タイプの二重周波数ＨＦ−ＵＨＦ識別装置の領域に関する。そのようなＲＦＩＤ装置はまた、ＲＦＩＤトランスポンダ又はＲＦＩＤタグと命名され、且つカード又は他の任意の携帯装置（例えば腕時計）に組み入れることが可能である。
【０００２】
特に、本発明は、ＨＦインターフェース及びＵＨＦインターフェースを有する二重周波数ＨＦ−ＵＨＦ識別装置に関し、且つＵＨＦリーダ及びＨＦリーダと独立に通信することが意図される。
【背景技術】
【０００３】
特許文献１は、ＵＨＦアンテナを備えるＵＨＦインターフェースと、ＬＦアンテナ及びＨＦアンテナを備える二重周波数ＬＦ−ＨＦインターフェースとを有する受動ＲＦＩＤ装置を説明している。二重周波数ＬＦ−ＨＦインターフェースはＩＰ−Ｘプロトコルを遂行し、このＩＰ−Ｘプロトコルでは、ＬＦ復調器及びＨＦ変調器だけが使用される。注意するべきことであるが、二重周波数ＬＦ−ＨＦインターフェースは、単一の二重周波数リーダと通信することが意図される。
【０００４】
受動ＲＦＩＤ装置は、ＵＨＦ整流器とＬＦ整流器とを更に備え、これらは共に、この装置のための電源を生成することが可能である。特に、発電装置としてＬＦ整流器又はＵＨＦ整流器のいずれかを選択するために、決定回路が設けられるが、この選択は、どちらが最大の信号を送達するかに依存する。受動ＲＦＩＤ装置は、ＵＨＦ論理ユニット、ＩＰ−Ｘ論理ユニット、及び単一の共有された不揮発性メモリ（ＥＥＰＲＯＭ）によって形成されるコントローラを更に備える。該装置は、どの種類のリーダが存在するかを検出するために、且つそれに応じて応答するために配列される。特に、どのエネルギー源が存在するかに依存して、且つそのエネルギー源の強度に依存して、コントローラは、ＵＨＦ論理ユニット又はＩＰ−Ｘ論理ユニット若しくはその両方を選択し、且つ、ＵＨＦプロトコル又はＩＰ−Ｘプロトコル若しくはその両方を、それぞれ実行する。特許文献１によれば、同じデータがＵＨＦリーダ及び二重周波数リーダの両方に送達されることは、重要な側面である。この目的のために、単一のＥＥＰＲＯＭが各プロトコルによって使用され、且つＵＨＦ論理ユニットとＩＰ−Ｘ論理ユニットとの間で完全に共有される。単一のＥＥＰＲＯＭメモリのそのような完全な共有を可能にするために、両方のプロトコルに対して、異なった対応付けが提供される。
【０００５】
この先行技術のＲＦＩＤ装置は、いくつかの欠点を有する。主な欠点は、ＵＨＦインターフェースの感度が比較的低いということである。この理由は、単一の不揮発性メモリ（以下ではＮＶＭとも命名される）が存在するが、この不揮発性メモリは、両方のインターフェースによってアクセスされるという事実による。実際に、一方のインターフェース又は他方のインターフェースが、それに対応するプロトコルを遂行する場合、ＥＥＰＲＯＭメモリ全体がパワー供給される。これは問題である。何故なら、ＩＰ−Ｘプロトコル又は、より一般には、ＬＦ若しくはＨＦプロトコルは、比較的大きな不揮発性メモリを必要とし、このメモリは比較的高いパワーを消費するからである。そのような大きなＮＶＭを起動すること、及びこのメモリ対してアクセスすることは、パワー欠乏を引き起こし、その結果、ＵＨＦプロトコルを遂行するために必要とされるパワーレベルは、ＵＨＦトランスポンダ及びＵＨＦリーダによって形成されるＵＨＦシステムにおけるよりもはるかに高い。その結果として、特許文献１によって提案されたシステムにおけるＵＨＦ通信のための通信距離は、前述のＵＨＦシステムの対応距離よりも短い。
【先行技術文献】
【特許文献】
【０００６】
【特許文献１】国際公開第２０１１／１５９１７１号
【発明の概要】
【発明が解決しようとする課題】
【０００７】
本発明の狙いは、引用した先行技術文献の欠点を克服し、且つ、従って、特にＵＨＦ通信に関して効率のよい方法で、ＨＦリーダ及びＵＨＦリーダと独立に通信できるＲＦＩＤ装置を提供することであり、そこではＵＨＦリーダからＲＦＩＤ装置によって受信されるパワーは、ＨＦ通信に対するものよりも一般に低い。ここでＨＦ通信では、通常、比較的短い距離で行われることが意図される。
【課題を解決するための手段】
【０００８】
本発明は、ＨＦ電磁界を受信するためのＨＦアンテナと、ＨＦインターフェースと、ＵＨＦ電磁界を受信するためのＵＨＦアンテナと、ＵＨＦインターフェースと、不揮発性メモリ手段と、装置リセット手段と、発電装置と、パワー管理ユニットと、を備える二重周波数ＲＦ識別装置に関し、ＨＦインターフェースは、ＨＦプロトコルを遂行するために配列され、且つＵＨＦインターフェースは、ＵＨＦプロトコルを遂行するために配列される。不揮発性メモリ手段は、少なくとも第１不揮発性メモリ及び第２不揮発性メモリによって形成され、識別装置は、第１不揮発性メモリがパワー供給され、且つ第２不揮発性メモリを起動することなく活性な状態にあるように配列され、第１不揮発性メモリは、読み出しモードでは実質的に第１パワーを消費し、且つ第２不揮発性メモリは、読み出しモードでは実質的に第２パワーを消費し、第２パワーは、第１パワーよりも実質的に高い。第１不揮発性メモリは、この装置が、少なくともＵＨＦプロトコルの通信モードを遂行することを可能にする装置構成のために必要とされる全てのデータを備え、この通信モードは、第１不揮発性メモリに対するアクセスを有するが、しかし第２不揮発性メモリに対するアクセスを有さず、第１不揮発性メモリは、ＵＨＦプロトコルの通信モードの構成に対して必要とされる全ての属性を更に備える。
【０００９】
次に、パワー管理ユニットは、
・発電装置によって提供され、且つ本装置によって遂行されるべきＵＨＦプロトコルの通信モードに対して要求される、第１の決定されたパワーレベルと、
・発電装置によって提供され、且つ第１の決定されたパワーレベルよりも実質的に高い、少なくとも第２の決定されたパワーレベルであって、この第２の決定されたパワーレベルは、本装置によって遂行されるべき第２不揮発性メモリに少なくともアクセスした状態で、ＨＦプロトコルの通信モードに対して要求されるものである、第２の決定されたパワーレベルと、
を検出するために配列される。
【００１０】
識別装置は、ＵＨＦプロトコルの通信モードの構成及び、その後の、この通信モードの実行を可能にするために更に配列されるが、このことが当てはまるのは、発電装置によって提供されるパワーが、第１の決定されたパワーレベルに等しいか、又はこれよりも優勢な場合、特に、第１の決定されたパワーレベルを超える、及びこれに近い場合である。最後に、この装置は、第２不揮発性メモリと一緒にした、ＨＦインターフェースの完全な起動を可能にするために配列されるが、このことが当てはまるのは、発電装置によって提供されるパワーが、第２の決定されたパワーレベルに等しいか、又はこれよりも優勢な場合だけである。
【００１１】
一般的な実施形態によれば、識別装置は、装置リセット手段が起動し、且つ、その後、装置構成が実行されることを可能にするために配列されるが、このことが当てはまるのは、発電装置によって提供されるパワーが、第１の決定されたパワーレベルに等しいか、又はこれよりも優勢な場合、特に、第１の決定されたパワーレベルを超える、及びこれに近い場合である。本装置は、装置リセット手段の起動が、ＵＨＦプロトコルの通信モードの構成の前に起こるように配列される。
【００１２】
好ましい実施形態によれば、ＵＨＦプロトコルの通信モードは、制限されたＵＨＦ通信モード、即ち、不揮発性メモリ手段に対するアクセスが制限された状態でのＵＨＦ通信モードであり、且つＵＨＦインターフェースは、第２不揮発性メモリに対して付加的にアクセスした状態で、ＵＨＦプロトコルの拡張されたＵＨＦ通信モードを更に遂行することが可能であるが、このことが当てはまるのは、発電装置によって提供されるパワーが、第１の決定されたパワーレベルよりも高い、第３の決定されたパワーレベルに等しいか、又はこれよりも優勢な場合、特に、第３の決定されたパワーレベルを超える、及びこれに近い場合である。パワー管理ユニットは、この第３の決定されたパワーレベルを検出するために、且つ第２不揮発性メモリの起動を可能にするために配列されるが、このことが当てはまるのは、発電装置によって提供されるパワーが、第３の決定されたパワーレベルに等しいか、又はこれよりも優勢な場合だけである。この好ましい実施形態において、拡張されたＵＨＦ通信モードの構成のための、第２不揮発性メモリに対する属性は、この第２不揮発性メモリに格納される。
【００１３】
上記の好ましい実施形態の特別な変形例によれば、識別装置は、拡張されたＵＨＦ通信モードの構成を少なくとも部分的に実行するために配列されるが、このことが当てはまるのは、第２不揮発性メモリが活性モードにある場合であり、且つもしこの第２不揮発性メモリに関するアクセスコマンドが、ＵＨＦインターフェースを通して受信されるならば、という条件を満たす場合だけである。
【００１４】
別の実施形態において、識別装置はＨＦ電磁界検出器を更に備え、且つこの装置は、ＨＦインターフェースの起動を可能にするために配列されるが、このことが当てはまるのは、発電装置によって提供されるパワーが、第２のパワーレベルに等しいか、又はこれよりも優勢な場合だけであり、且つＨＦ電磁界がＨＦ電磁界検出器によって検出される場合である。
【００１５】
主な実施形態によれば、識別装置は受動タイプのものであり、且つ発電装置は、受信されたＵＨＦ電磁界のための第１整流手段と、受信されたＨＦ電磁界のための第２整流手段とを備える。第１整流手段は、少なくとも第１整流手段によって発生したパワーが、第２整流手段によって発生したパワーよりも高い場合に、供給電圧を装置に提供する。
【００１６】
本発明はまた、本発明の識別装置の構成方法に関し、そこでは、第１の決定されたパワーレベルが、この識別装置のパワーダウン状態の後に、パワー管理ユニットによって検出される場合に、装置リセット手段が起動し、且つ、その後、装置構成が自動的に実行される。
【００１７】
構成方法の特別な履行例において、この構成方法は１つのステップを有し、そこでは、ＵＨＦプロトコルの通信モードの構成が、装置構成の後に、自動的且つ直接的に実行されるが、このことが当てはまるのは、もし発電装置によって提供されるパワーが、第１の決定されたパワーレベルに等しいままか、又はこれよりも優勢な状態に留まるならば、という条件を満たす場合である。
【００１８】
本発明は、添付された図面を参照しながら、続いて説明されるであろう。ここで添付された図面は、例として与えられたものであるが、しかし決してその例に限定されない。
【図面の簡単な説明】
【００１９】
【図１】図１は、本発明による二重周波数ＲＦ識別装置の実施形態の略図である。
【図２】図２は、図１の識別装置のための、本発明による起動及び構成方法を履行するブロック図である。
【発明を実施するための形態】
【００２０】
図１及び図２を参照すると、本発明の実施形態が、幾つかの例及び変形例と同様に、限定されない方法で説明されるであろう。
【００２１】
受動ＨＦ−ＵＨＦ識別装置２は、ＨＦ電磁界を受信するためのＨＦアンテナ４と、ＨＦアナログ・フロントエンド（ＨＦ  ＡＦＥ）８及び、全体的論理回路１２の一部分であるＨＦ論理ユニット１０によって形成されるＨＦインターフェース６と、を備える。装置２はまた、ＵＨＦ電磁界を受信するためのＵＨＦアンテナ１４と、ＵＨＦアナログ・フロントエンド（ＵＨＦ  ＡＦＥ）１８及び、これも論理回路１２の一部分であるＵＨＦ論理ユニット２０によって形成されるＵＨＦインターフェース１６と、を備える。装置２は、不揮発性メモリ手段２６と、論理回路１２によってサポートされる装置リセット手段と、供給電圧Ｖsupを提供する発電装置２２と、パワー管理ユニット２４とを更に備える。ＨＦインターフェースは、ＨＦプロトコルを遂行するために配列され、且つＵＨＦインターフェースは、ＵＨＦプロトコルを遂行するために配列される。不揮発性メモリ手段は、少なくとも第１不揮発性メモリ２８（第１ＮＶＭ２８）及び第２不揮発性メモリ３０（第２ＮＶＭ３０）によって形成される。論理回路１２は、インターフェース６及びインターフェース１６の両方に共通な動作、又はこれらインターフェースの一方又は他方に専用である動作をサポートし、同様に、パワー管理ユニット、不揮発性メモリ及び持続性フラグ３２に関連する一般的な機能をサポートする。これらの持続性フラグは、アナログ回路の一部分であり、且つコンデンサによって形成される。
【００２２】
主な実施形態において、ＵＨＦプロトコルはＥＰＣプロトコルに関連し、且つＨＦプロトコルはＮＦＣプロトコルに関連するが、ＥＰＣ及びＮＦＣの両方のプロトコルは、当業者には良く知られている。
【００２３】
発電装置は、受動装置２が、ＨＦアンテナによって受信される入射ＨＦ電磁界から、及びＵＨＦアンテナによって受信される入射ＵＨＦ電磁界から、パワーを取り込むことが可能なように配列される。従って、発電装置は、受信されたＵＨＦ電磁界のための第１整流手段と、受信されたＨＦ電磁界のための第２整流手段とを備える。発電装置及びパワー管理ユニットは、第１整流手段が供給電圧を装置に提供するように配列されるが、このことが当てはまるのは、少なくとも、第１整流手段によって発生したパワーが、第２整流手段によって発生したパワーよりも高い場合である。パワー管理ユニットは、少なくとも、利用可能なパワーがある一定の決定されたパワーレベルに達したと仮定して、その結果、この情報を論理回路１２に伝達したかどうかを検出するために、配列される。即ち、このパワー管理ユニットは、発電装置が受動装置２に提供できるパワーレベルを検知している。第１変形例において、発電装置は、ＨＦ電磁界及びＵＨＦ電磁界の両方が、受動装置に同時に給電することが可能であり、その装置上で独立にインターフェースが起動するように、配列される。第２変形例において、パワー管理ユニットは、第１整流器及び第２整流器の中でどちらの整流器が、より高いパワーを送達するかを決定し、且つ受動装置２に供給するための整流器を選択する。
【００２４】
本発明によれば、受動識別装置２は、第１不揮発性メモリ２８（第１ＮＶＭ）がパワー供給され、且つ第２不揮発性メモリ３０（第２ＮＶＭ）にパワー供給することなく、第１不揮発性メモリ２８が活性な状態にあることが可能なように、配列される。従って、少なくとも読み出しモードにおいて、第１メモリに対してのみアクセスを有することが可能である。第１ＮＶＭは、読み出しモードにおいて実質的に第１パワーを消費し、且つ第２ＮＶＭは、読み出しモードにおいて実質的に第２パワーを消費するが、第２パワーは、第１パワーよりも実質的に高い。その効果として、第１ＮＶＭ２８は、第２ＮＶＭ３０よりも小さなサイズを有する。例えば、第１ＮＶＭはわずかに５７６ビットを有し、且つ第２ＮＶＭは２６８８ビットを有する。しかしながら、本発明の目的のために、第１不揮発性メモリ２８は、この装置がＵＨＦプロトコルの少なくとも第１通信モードを遂行することを可能にする装置構成に対して必要とされる全てのデータを備え、この第１通信モードは、この第１不揮発性メモリに対するアクセスを有するが、しかし第２不揮発性メモリ３０に対するアクセスを有さない。第１不揮発性メモリ２８は、ＵＨＦプロトコルの第１通信モードの構成に対して必要とされる全ての属性を備える。
【００２５】
パワー管理ユニットは、
・発電装置によって提供され、且つ本装置によって遂行されるべきＵＨＦプロトコルの第１通信モードに対して要求される、第１の決定されたパワーレベルと、
・発電装置によって提供され、且つ第１の決定されたパワーレベルよりも実質的に高い、第２の決定されたパワーレベルであって、この第２の決定されたパワーレベルは、本装置によって遂行されるべきＨＦプロトコルの通信モードに対して要求され、この通信モードは、少なくとも第２不揮発性メモリ３０に対するアクセスを有し、第２不揮発性メモリ３０は、従って、この通信モードが活性である場合、パワー供給される必要がある、第２の決定されたパワーレベルと、
を少なくとも検出するために、配列される。
【００２６】
本装置は、第１通信モードの構成及び、その後の、この第１通信モードの実行を可能にするために配列されるが、このことが当てはまるのは、発電装置によって提供されるパワーが、第１の決定されたパワーレベルに等しいか、又はこれよりも優勢な場合である。最後に、本装置は、第２不揮発性メモリと一緒にした、ＨＦインターフェースの完全な起動を可能にするために配列されるが、このことが当てはまるのは、発電装置によって提供されるパワーが、第２の決定されたパワーレベルに等しいか、又はこれよりも優勢な場合だけである。
【００２７】
主な実施形態によれば、本装置は、装置リセット手段が起動し、且つ、その後、装置構成が実行されることを可能にするために配列されるが、このことが当てはまるのは、発電装置によって提供されるパワーが、第１の決定されたパワーに等しいか、又はこれよりも優勢な場合であり、本装置は、ＵＨＦプロトコルの第１通信モードの構成の前に、装置リセット手段の起動が起こるように配列される。更に、ＵＨＦ構成の初期段階において、又は（そのような構成に対して与えられた定義に依存して）この構成の前に、若しくは装置リセットの間に、ＵＨＦプロトコルリセットが行われる。
【００２８】
好ましい実施形態によれば、ＵＨＦプロトコルの第１通信モードは、制限されたＵＨＦ通信モード（制限されたＵＨＦプロトコルとも命名される）であり、即ち、不揮発メモリ手段に対して制限されたアクセスを有する。何故ならば、このモードでは第１ＮＶＭだけが活性であり、且つＵＨＦインターフェースは、第２ＮＶＭに対してアクセスを有する、拡張されたＵＨＦ通信モード（拡張されたＵＨＦプロトコルとも命名される）を更に遂行できるからである。このことが当てはまるのは、発電装置によって提供されるパワーが、第１パワーレベルよりも高い、第３の決定されたパワーレベルに等しいか、又はこれよりも優勢な場合である。パワー管理ユニット２４は、この第３パワーレベルを検出するために、且つ第２不揮発性メモリのパワー供給を可能にするために配列されるが、このことが当てはまるのは、発電装置によって提供されるパワーが、第３パワーレベルに等しいか、又はこれよりも優勢な場合だけである。この好ましい実施形態において、拡張されたＵＨＦ通信モードの構成のための、第２不揮発性メモリに対する属性は、この第２不揮発性メモリに格納される。特に、拡張されたＵＨＦプロトコルの構成は、制限されたＵＨＦプロトコルの構成の付加的構成段階であり、この付加的段階は、主に第２不揮発性メモリに関する。特別な実施形態において、拡張されたＵＨＦプロトコルは、制限されたＵＨＦプロトコルと異なることも有り得るであろう。即ち、制限されたＵＨＦ通信モードの拡張だけではない。そのような場合、拡張されたＵＨＦプロトコルの構成は、発電装置によって提供されるパワーが第３パワーレベルに等しいか、又はこれよりも優勢であると直ぐに実施されるか、又はもし第２不揮発性メモリにアクセスするための第１要求が受信されるならば、という条件を満たす場合にのみ実施されることが可能である。
【００２９】
上記の好ましい実施形態の有利な変形例によれば、本装置は、拡張されたＵＨＦ通信モードの構成を少なくとも部分的に実行するために配列されるが、このことが当てはまるのは、第２不揮発性メモリが活性モードにある場合であり、且つ、もしこの第２不揮発性メモリに関するアクセスコマンドが、ＵＨＦインターフェースによって受信されるならば、という条件を満たす場合だけである。特別な変形例によれば、識別装置２は、第２不揮発性メモリ３０が起動するように配列されるが、このことが当てはまるのは、もしこの第２不揮発性メモリに関するアクセスコマンドが、ＵＨＦインターフェースによって受信され、且つ、その後、拡張されたＵＨＦ通信モードの、少なくとも部分的な構成が実行されるならば、という条件を満たす場合だけである。しかしながら、別の変形例において、拡張されたＵＨＦ通信モードにおいて第２ＮＶＭに対するアクセスの速度を上げるために、この第２ＮＶＭは、第３パワーレベルがパワー管理ユニットによって検出されると直ぐに、自動的に起動する。
【００３０】
特別な変形例において、第２パワーレベル及び第３パワーレベルは同じ値を有し、且つパワー管理ユニットによる、これら第２及び第３の決定されたパワーレベルの検出は、同じイベントに対応する。
【００３１】
別の実施形態において、識別装置はＨＦ電磁界検出器を更に備え、且つ、この装置は、ＨＦインターフェースのパワー供給を可能にするために配列されるが、このことが当てはまるのは、発電装置によって提供されるパワーが、第２の決定されたパワーレベルと等しい、又はこれよりも優勢な場合であり、且つもしＨＦ電磁界がＨＦ電磁界検出器によって検出されるならば、という条件を満たす場合だけである。上述の特別な変形例の場合、第２ＮＶＭのためのパワーオンは、ＨＦインターフェースのためのパワーオンと同じパワーレベルにある。しかしながら、本実施形態において、このパワーレベルが検出される場合、ＨＦインターフェースは、自動的にパワーを上げて、装置２に対するパワー消費を増大させることはないであろう。何故なら、この装置は、ＨＦインターフェースを起動する前に、ＨＦ電磁界が存在するかどうかを更に検出するからである。これは、ＨＦインターフェースを起動することなく、第２ＮＶＭはパワー供給され、且つ拡張されたＵＨＦプロトコルによって使用することが可能であるということを意味する。このことは、たとえ両方の起動を可能にするパワーレベルが同じであるとしても、当てはまる。
【００３２】
好ましい変形例において、受動識別装置２は、ＨＦプロトコルの構成を可能にするために配列されるが、このことが当てはまるのは、ＨＦインターフェースが活性状態にある場合だけであり、且つＨＦプロトコルの前記通信モードによる第１コマンドが受信された場合である。好ましい変形例において、ＨＦ通信モードの構成のためのＨＦプロトコル属性は、第２ＮＶＭ３０に格納される。更に、ＨＦプロトコル構成の初期段階において、又は（そのような構成に対して与えられた定義に依存して）この構成の前に、ＨＦプロトコルリセットを行うことが可能である。しかしながら、少なくとも部分的なＨＦプロトコルリセットは、前のステップにおいて（例えば、装置リセットの間、又はこの装置リセットの後に）、起こり得るが、このことが当てはまるのは、もしＨＦインターフェースの一部分（例えばＨＦ論理ユニット）が既に以前に起動したならば、という条件を満たす場合である。注意するべきことであるが、ＨＦプロトコルの幾つかの属性は、ＵＨＦプロトコルと共通であり得、その結果、これら共通の属性は、第１ＮＶＭ２８の中にあり、且つ、従って、ここではＨＦプロトコル構成の一部分と見なされない。更に、もしこれら共通な属性を、ＵＨＦインターフェースを通して再プログラムする可能性がなければ、これら共通の属性を、ＵＨＦメモリから再びロードする必要はないかもしれない。何故なら、このＵＨＦインターフェースは、ＨＦインターフェースが起動する前に、活性な状態にあり得るからである。そのような共通の属性を、装置構成の一部分と見なすことも可能であろう。その場合、これらの属性は、この装置構成の最終段階でロードされる。
【００３３】
本発明はまた、本発明の識別装置の構成方法に関する。より一般的には、異なるインターフェース及び不揮発メモリの起動方法、及び、可能なプロトコル又は通信モードの構成方法が、図２を参照して説明されるであろう。
【００３４】
先ず、この識別装置のパワーダウン状態の後に、第１の決定されたパワーレベルが、パワー管理ユニットによって検出されると、装置リセット手段が起動する。これが意味するのは、初期リセットはパワーオンで行われ、そこでは、このパワーオンは、異なるプロトコルのパワー供給に対して、又はこれらの異なるプロトコルによって定義される異なる通信モードのパワー供給に対して、最も低いレベルで選択される、ということである。この場合、パワーオンは、制限されたＵＨＦ通信モードが、受動装置２によって遂行されることを可能にするために、選択される。従って、本装置は、制限されたＵＨＦプロトコルのためのＵＨＦパワーオンで自動的にリセットされ、そこでは、第１ＮＶＭだけがパワー供給され、且つ、従って、アクセス可能である。このイベントは、図２において、「ＵＨＦ  ＰＯＲ」によって示される。その後、装置構成は、自動的に実行される。本発明によれば、装置構成データ（Ｄｅｖｉｃｅ  Ｃｏｎｆ  Ｄａｔａ）は、第１ＮＶＭ２８に格納される。ＥＰＣプロトコルの制限されたＵＨＦ通信モードによる、この場合においては、第１ＮＶＭ２８は、ＵＨＦインターフェースと関連付けられ、且つＵＨＦ通信に含まれるように、特別に設計される。
【００３５】
装置構成は、先ず、制限されたＵＨＦプロトコル／通信モードを遂行することを可能にし、且つ、更に、ＨＦチャンネル／プロトコルに対する、幾つかの付加的な構成属性に関係してもよい。装置構成は、先ず、装置リソースの構成に関係するが、装置リソースの構成は、装置を機能させるために必要であり、且つ、その場合、全てのプロトコル（例えば、セキュリティタイムアウトに対する持続性フラグ）に対して共通である。更には、そのような装置構成はまた、特定のプロトコルに（特に、そのようなプロトコルに対するモード選択に、又はプロトコル選択にさえも）関係するかもしれない。好ましい変形例において、装置構成データのための第１ＮＶＭで必要とされるスペースを制限するために、ＵＨＦ通信プロトコルに対して必要とされる装置属性だけが、この初期構成においてロードされる。特別な変形例において、可能とされた、異なる通信モードはまた、装置初期化の間に読み出される。
【００３６】
例えば、リセットステップの間、又は装置構成の間、アナログ持続性フラグは、対応するコンデンサにおいて、それらの格納された状態に従ってリフレッシュされる。その後、装置構成の間、トリミング値が第１ＮＶＭにおいて読み出され、且つＵＨＦ振動子のトリミング、電圧参照Ｖrefのトリミング、及び電流参照Ｉrefのトリミングが実行される。有利な変形例において、ＨＦチャンネルに対するモード選択は、このＨＦチャンネルをミュート状態に置くことが可能な場合、第１ＮＶＭにおいて既に読み出される。従って、ＨＦインターフェースがパワーオンされることを可能にするパワーレベルを検出する前に、ＨＦ通信が可能であるか、又はＨＦチャンネルがパワー源としてのみ使用されるか、即ち、ＨＦインターフェースがミュートであるかどうかを、装置２は既に知っている。他の変形例において、モード選択はまた、セキュリティレベル（例えば、プライバシーモードが履行されるかどうか、又は定義されたセキュリティレベルは、少なくともインターフェース又はプロトコルに対して要求されるかどうか）に関係することが可能である。注意するべきことであるが、モード選択データのような、装置構成に対する幾つかのデータは、断裂に対して保護することが可能である。従って、これらのデータに対応する断裂防止状態ビットはまた、装置構成の間に読み出さなければならない。これらの断裂防止状態ビットは、第１ＮＶＭに格納される。
【００３７】
装置構成の後、制限されたＵＨＦプロトコル／通信モードの構成が実行される。第１変形例において、識別装置は、装置構成の後、制限されたＵＨＦ通信モードの構成が自動的且つ直接的に実行されるように配列されるが、このことが当てはまるのは、もし発電装置によって提供されるパワーが、パワーレベルＵＨＦパワーオン（検出されるべき第１パワーレベルであり、且つ装置構成、ＵＨＦインターフェースの起動、制限されたＵＨＦプロトコルの構成、及び制限されたＵＨＦ通信モードの実行に対して要求されるパワーレベルに対応する）に等しいままか、又はこれよりも優勢な状態に留まるならば、という条件を満たす場合である。第２変形例において、識別装置２はＵＨＦ電磁界検出器を備え、且つＵＨＦプロトコル構成が実行されるが、このことは、もしＵＨＦ電磁界が検出されるならば、という条件を満たす場合にのみ当てはまり、その検出の結果として、ＵＨＦ電磁界が存在する場合にのみ、ＵＨＦプロトコルのこの初期構成が行われる。注意するべきことであるが、装置構成とＵＨＦプロトコル構成との間の境界は、絶対ではない。幾つかの属性に対して、それは定義の問題である。この第２変形例において、前述した、アナログ持続性フラグのリフレッシュは、ＵＨＦ電磁界を検出した直後に行うのが好ましい。
【００３８】
制限されたＥＰＣプロトコル構成は、第１ＮＶＭ、ＵＨＦメモリ・ロック・ビット、持続性フラグＳ２、Ｓ３、ＳＬの読み出しに対する断裂防止保護状態ビットに関するが、この目的は、それらの持続性を保つと共に、格納されたＣＲＣ（このリストは排他的ではない）を計算するために、どれを周期的にリフレッシュしなければならないかを知ることである。引用した持続性フラグに関連しない属性は、第１ＮＶＭ２８に格納される。
【００３９】
制限されたＵＨＦプロトコル構成が実行された後、且つＵＨＦ電磁界が存在する場合（即ち、ＵＨＦリーダからのＵＨＦ電磁界が、識別装置２によって受信される場合）、制限されたＵＨＦ通信は、直ちに行われることが可能である。前述の第２変形例において、そのような状況は普通に存在する。何故なら、制限されたＵＨＦプロトコル構成は、ＵＨＦアンテナの共鳴周波数に対応するＵＨＦ電磁界を検出した後にのみ、実行されるからである。
【００４０】
ＵＨＦインターフェースを起動する間、パワー管理ユニット２４は、発電装置のパワーレベル（又はそのようなパワーに関連付けられた、少なくとも電気的パラメータ）を更に検知する。第２ＮＶＭ３０（これは、ＵＨＦインターフェース及び第１ＮＶＭの起動に対するものよりも、大幅に高いパワーを要求する）と一緒にしたＨＦインターフェースの起動に関して、パワー管理ユニットは、ＨＦパワーオン・レベルがそのような起動を可能にするまでのレベルに達したかどうかを検出する。好ましい変形例において、図２に表すように、識別装置はＨＦ電磁界検出器を備え、且つＨＦ電磁界検出器は、ＨＦアンテナ回路の共鳴周波数に対応する電磁界が、装置によって受信されるかどうかを検出する。このような場合にのみ、ＨＦインターフェースの起動は、第２ＮＶＭのパワー供給と一緒に行われる。この起動が履行され、その結果として、ＮＦＣプロトコルによる第１コマンドは、受信されると共に復調されることが可能である（これによって、次のことが要求され得るであろう。即ち、ＨＦプロトコルの第１段階は、好ましくは第２ＮＶＭに格納された幾つかの属性を読み出すことによって、最初に実行される、ということである）。
【００４１】
もし通信システムのＨＦリーダからの第１要求が受信される場合、その時は、主にこの第１要求に対する応答の間に、ＮＦＣプロトコルの構成が実行される。ここで、この第１要求は、この応答の間にロードされるＮＦＣプロトコルの属性を必要としない。第２不揮発性メモリに格納されたＮＦＣプロトコルの属性は、第２ＮＶＭのための断裂防止状態ビットに関する。メモリ・ロック・ビットは第２メモリに関し、且つ共有ロック・ビットは第１ＮＶＭに関する。注意するべきことであるが、ＵＨＦプロトコル及びＨＦプロトコル並びに２つの異なる不揮発性メモリについて、ここで説明された主な変形例において、各ＮＮＶは、第１プロトコルに関する「メモリ・ロック・ビット」に関連付けられ（これに対して、このＮＶＭが最初に設計され）、且つ、更に、第２プロトコルによる、このＮＶＭへのアクセスに関連する「共有ロック・ビット」に関連付けられる。もし第１構成段階が既に生じている場合、ＨＦリーダに対する応答の間のＮＦＣ構成は、このＮＦＣプロトコル構成の第２段階に関する。更に言及するべきことであるが、既に以前にロードされたＵＨＦプロトコル構成に関する幾つかの共通の属性は、再びロードされる必要はないかもしれない。しかしながら、ＨＦ電磁界を検出する前に既にロードされた幾つかの属性は、自身のそれぞれの実際の状態を有するために、再びロードされなければならない。このＨＦ構成の間に、第１ＮＶＭ又は第２ＮＶＭに格納されたデータ及び属性は、読み出すことが可能である。何故なら、第１ＮＶＭは、活性状態に留まっているからである。既に述べたように、この第１ＮＶＭのサイズを実質的に可能な限り低く保つために、少しのデータだけを第１ＮＶＭに入れることが、本発明の好ましい変形例である。従って、この好ましい変形例において、ＵＨＦプロトコルに共通でないＨＦプロトコルの全ての属性は、第２ＮＶＭ３０に格納される。ＮＦＣ構成が実行された後、ＮＦＣプロトコルによる標準的なＨＦ通信が行われる。言及するべきことであるが、好ましい変形例において、第１ＮＶＭは、ＥＰＣプロトコルに対して最初に設計される。しかしながら、適切な対応付けを通して、この第１ＮＶＭはまた、ＨＦ通信を実行する間に、ＨＦインターフェースによってアクセスすることが可能である。これはまた、書き込みモードにおける場合であり、そこでは第１ＮＶＭは、ＨＦインターフェースを介してプログラムすることが可能である。
【００４２】
好ましい実施形態によれば、発電装置によって提供されるパワーが、第３の決定されたパワーレベル（ＵＨＦインターフェース及び第１ＮＶＭに加えて、第２ＮＶＭの起動のために必要とされるパワーに対応する）に等しいか、又はこれよりも優勢な場合、拡張されたＮＦＣプロトコルを起動することが可能であり、この拡張されたＮＦＣプロトコルにおいて、第２ＮＶＭに対する読み出しアクセスが可能となる。本発明の構成方法の特別な変形例によれば、拡張されたＵＨＦ通信モードの部分的又は完全な構成は、この第２不揮発性メモリに格納された、この第２不揮発性メモリに対する属性を読み出すことによって実行されるが、このことが当てはまるのは、もし第２不揮発性メモリに関するアクセスコマンドが、ＵＨＦインターフェースによって受信されるならば、という条件を満たす場合である。ここで部分的な構成は、アクセスコマンドによって関係付けられる第２不揮発性メモリの少なくとも一部分に関連する。従って、この特別な変形例による拡張されたＵＨＦ通信モードが行われることになるが、このことが当てはまるのは、パワー管理ユニットが第３パワーレベル（これは、前述の第１パワーレベルと第２パワーレベルとの間にある）を検出した後に限られ、且つもし第２ＮＶＭにアクセスするためのＵＨＦ要求が受信されるならば、という条件を満たす場合、即ち、もし拡張されたＵＨＦプロトコルの履行に対する要求が、ＵＨＦインターフェースを通して受信されるならば、という条件を満たす場合である（図２において、「拡張されたＵＨＦプロトコルに対するＵＨＦ要求」）。拡張された通信モードに関連付けられたＵＨＦプロトコルの付加的属性は、好ましくは第２ＮＶＭに格納される。拡張されたＵＨＦ構成を定義する付加的属性は、主に第２ＮＶＭに関し、特に共有ロック・ビット（第２ＮＶＭのどの部分が、ＵＨＦプロトコルによってアクセスされ得るかを定義する）及び更に、第２ＮＶＭに対する断裂防止状態ビットに関する。注意するべきことであるが、この第２ＮＶＭは、ＮＦＣプロトコルに調和するように最初に設計される。しかしながら、この第２ＮＶＭの適切な対応付けを通して、第２ＮＶＭ３０は、少なくとも部分的に、拡張されたＵＨＦ通信の間に読み出すことが可能である。
【００４３】
既に述べたように、第２パワーレベル及び第３パワーレベルは、共通のパワーレベルに対応することが可能である。しかしながら、説明された起動及び構成方法において、そのような場合においてさえも、偽の拡張されたＵＨＦ通信モード、又は偽のＨＦインターフェース起動は、この共通のパワーレベルに達している場合、起こらないであろう。
【００４４】
ＵＨＦ電磁界検出器及びＨＦ電磁界検出器は、第１変形例では周波数検出器（周波数弁別器）によって、又は第２変形例では電圧検出器によって、それぞれ形成することが可能であり、これらの検出器は、ＵＨＦ整流器の後に、ＨＦ整流器の後に、それぞれ配列される（この電圧検出器は、与えられた電圧レベルに達したかどうかを検出する）。特定の変形例において、電磁界検出器はまた、前段検出器を備え、この前段検出器は、搬送周波数で、ある一定の変調が起こることを示す。
【符号の説明】
【００４５】
４  ＨＦアンテナ 
８  ＨＦ−ＡＦＥ（アナログ・フロントエンド）
１０  ＨＦ論理ユニット
１２  論理回路
１４  ＵＨＦアンテナ
１８  ＵＨＦ−ＡＦＥ（アナログ・フロントエンド）
２０  ＵＨＦ論理ユニット
２２  発電装置
２４  パワー管理ユニット
２８  第１ＮＶＭ
３０  第２ＮＶＭ
３２  持続性フラグ
【図１】
0006258998.tif 000002
【図２】
0006258998.tif 000003